【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
デジタルマンモグラフィ撮影法であって、
対象を透過した放射は、１つまたは複数の好ましくは細長いセンサモジュールを含む少なくとも１つのセンサ上で検出され、
前記センサモジュールは、画像データを受け取る１つまたは複数の画素列を含み、
撮影される対象は、実質的に動かないように配置され、かつ放射源から発生するビームによって走査され、
前記放射源の焦点は、所定空間において実質的に動かず、
前記ビームは、撮影される対象より狭くなるように制限され、かつ前記センサの有効面に実質的に適合し、
前記センサは、前記ビームの走査運動と同期して移動し、一方、同時に、前記有効面は、前記ビームの走査運動によって形成される平面上で、前記ビームに対して実質的に直角に保たれ、
前記１つまたは複数のセンサの移動は、前記ビームの前記走査運動の方向への、前記１つのセンサ／前記複数のセンサの軌道が実質的に直線になるように、前記放射源から前記１つまたは複数のセンサまでの距離を連続して調整することによって実施されることを特徴とするデジタルマンモグラフィ撮影法。
【請求項２】
前記１つまたは複数のセンサの移動は、プログラム的に動作することができる１つまたは複数のアクチュエータによって実現されることを特徴とする請求項１に記載のデジタルマンモグラフィ撮影法。
【請求項３】
前記１つまたは複数のセンサの移動の少なくとも一部は、機械駆動式制御によって実現されることを特徴とする請求項１または２に記載のデジタルマンモグラフィ撮影法。
【請求項４】
前記少なくとも１つのセンサは、実質的に直線軌道に沿って移動する伝動要素に接続するように移動し、前記接続は、前記直線運動の方向への、前記伝動要素と前記センサの相互回転運動を可能にするように実現され、それによって、前記センサ面の垂直向きの前記状況は、前記１つまたは複数のセンサを前記伝動要素に対して傾斜させることによって実現されることを特徴とする請求項１から３のいずれか１項に記載のデジタルマンモグラフィ撮影法。
【請求項５】
前記少なくとも１つのセンサは、制御要素と機能的に接続して配置され、前記制御要素は、前記ビームの方向の、前記センサと前記制御要素の間の距離を変えることを可能にし、前記制御要素は、湾曲した軌道に沿って移動し、前記少なくとも１つのセンサと前記制御要素の間の距離は、前記センサの軌道が直線になるように前記ビームの走査中に変更されることを特徴とする請求項１から３のいずれか１項に記載のデジタルマンモグラフィ撮影法。
【請求項６】
前記制御要素は、その曲率半径が、前記制御要素と前記放射源の焦点間の距離に対応する案内溝内を移動するか、または、その他の方法で、前記焦点から前記距離のところにある軌道に沿って移動することを特徴とする請求項５に記載のデジタルマンモグラフィ撮影法。
【請求項７】
前記伝動要素または制御要素は、振り子腕と一体になって移動し、該振り子腕の回転中心は、前記放射源の焦点のレベルに位置することを特徴とする請求項４から６のいずれか１項に記載のデジタルマンモグラフィ撮影法。
【請求項８】
前記ビームの前記走査運動は、プログラム的に動作することができるアクチュエータの助けを借りて、前記ビームを制限するコリメーション要素を移動させることによって実現されることを特徴とする請求項１から７のいずれか１項に記載のデジタルマンモグラフィ撮影法。
【請求項９】
前記ビームを制限するコリメーション要素は、前記センサの前記直線運動と実質的に平行に移動することを特徴とする請求項１から８のいずれか１項に記載のデジタルマンモグラフィ撮影法。
【請求項１０】
前記ビームの前記走査運動は、前記ビームを制限する前記コリメーション要素を前記湾曲経路に沿って移動させることによって実現され、前記湾曲経路の曲率半径は、前記コリメータと前記放射源の焦点間の距離に対応することを特徴とする請求項１から８のいずれか１項に記載のデジタルマンモグラフィ撮影法。
【請求項１１】
前記放射源は旋回し、前記ビームの前記走査運動は、前記放射源の前記旋回運動と機械的に接触した状態で前記コリメーション要素を移動させることによって実現されることを特徴とする請求項９または１０に記載のデジタルマンモグラフィ撮影法。
【請求項１２】
前記コリメーション要素の移動および前記１つまたは複数のセンサの直線運動は、前記コリメーション要素および前記１つまたは複数のセンサを、その回転中心が前記放射源の焦点のレベルに位置する同じ振り子腕に接続することによって、機械的に同期化されることを特徴とする請求項９から１１のいずれか１項に記載のデジタルマンモグラフィ撮影法。
【請求項１３】
前記ビームの前記走査運動の方向への、前記コリメーション要素および前記１つまたは複数のセンサの移動は、前記コリメーション要素および前記１つまたは複数のセンサを前記放射源の前記旋回運動に機械的に接続することによって同期化されることを特徴とする請求項１２に記載のデジタルマンモグラフィ撮影法。
【請求項１４】
前記１つまたは複数のセンサは、２つ以上のモジュールを含む少なくとも１つのセンサ列の前記走査運動によって形成される平面に対して直角方向に形成されるように配置され、前記モジュールのそれぞれの有効面もまた、前記ビームの焦点を基準にして前記方向に直角に位置決めされることを特徴とする請求項１から１３のいずれか１項に記載のデジタルマンモグラフィ撮影法。
【請求項１５】
前記１つのセンサ／前記複数のセンサの前記実質的に直線の運動は、前記センサに非常に接近した状態の、実質的に平面状の背の低い圧迫板構造の下で実現されることを特徴とする請求項１から１４のいずれか１項に記載のデジタルマンモグラフィ撮影法。
【請求項１６】
デジタルマンモグラフィ撮影装置であって、
−放射源（１３）と、
−放射を検出するセンサ機構（１５）であって、センサ機構は、１つまたは複数の好ましくは細長いセンサモジュール（５１０、５１０'、…）から形成される１つまたは複数のセンサ（５０）を含み、センサモジュール（５１０、５１０'、…）は画像データを受け取る１つまたは複数の画素列を含む、センサ機構（１５）と、
−前記放射源（１３）と前記センサ機構（１５）の間の領域内にある、撮影される対象を位置決めする手段（１６、１７）と、
−前記センサ機構（１５）の前記有効センサ面に実質的に従って、前記放射源（１３）からの前記ビームを制限する手段（１９）と、
−撮影されるために位置決めされた対象にわたって前記ビームを移動させる手段と、
−前記センサ機構（１５）に属する前記少なくとも１つのセンサ（５０）を、前記ビームの前記走査運動と同期して移動させ、前記有効センサ面を、前記走査運動によって形成される平面上で、前記ビームに対して実質的に直角に保つ手段とを含んでおり、
該撮影装置（１）は、前記ビームの前記走査運動の方向への、前記１つのセンサ(５０)または複数のセンサ（５０）の軌道が実質的に直線であるように、前記放射源（１３）からの前記１つのセンサ(５０)または複数のセンサ(５０)の距離を調整する手段を含むことを特徴とするデジタルマンモグラフィ撮影装置。
【請求項１７】
プログラム的に動作することができ、前記１つのセンサ(５０)または複数のセンサ(５０)の移動を実施するための少なくとも１つのアクチュエータ（２０）を含むことを特徴とする請求項１６に記載のデジタルマンモグラフィ撮影装置。
【請求項１８】
前記１つのセンサ(５０)または複数のセンサ(５０)の移動の少なくとも一部を、機械駆動式制御によって実施する手段を含むことを特徴とする請求項１６または１７に記載のデジタルマンモグラフィ撮影装置。
【請求項１９】
前記１つのセンサ(５０)または複数のセンサ(５０)を直線運動させる手段と、前記１つのセンサ(５０)または複数のセンサ(５０)を、前記直線運動と共に機械駆動式制御によって傾斜させる手段とを含むことを特徴とする請求項１６から１８のいずれか1項に記載のデジタルマンモグラフィ撮影装置。
【請求項２０】
前記１つのセンサ(５０)または複数のセンサ(５０)に接続されるように配置された伝動要素（２８、４０）と、該伝動要素を直線状に移動させ、前記伝動要素（２８、４０）に対して前記１つのセンサ(５０)または複数のセンサ(５０)を前記直線運動の方向に傾斜させる手段とを含むことを特徴とする請求項１６から１９のいずれか1項に記載のデジタルマンモグラフィ撮影装置。
【請求項２１】
前記ビームの前記走査運動の方向へ、湾曲軌道に沿って移動するように配置された制御要素（２９）を含み、該制御要素は、前記ビームの方向への、前記制御要素と前記少なくとも１つのセンサ（５０）との相互距離が調整可能であるように前記少なくとも１つのセンサ（５０）と機能的に接続した状態で配置されることを特徴とする請求項１６から１９のいずれか1項に記載のデジタルマンモグラフィ撮影装置。
【請求項２２】
前記湾曲軌道を形成するために、案内溝（３４）であって、該案内溝の曲率半径は、該案内溝と前記放射源（１３）の焦点（４２）の間の距離に対応する、案内溝、または、前記曲率半径を有する軌道に沿って制御要素（２９）を移動させる他の手段を含むことを特徴とする請求項２１に記載のデジタルマンモグラフィ撮影装置。
【請求項２３】
その回転中心が前記放射源（１３）の焦点（４２）のレベルに配置される振り子腕（３５）を含み、それによって、前記１つのセンサ(５０)または複数のセンサ(５０)が、前記振り子腕（３５）の長手軸の方向に移動することができるように、前記伝動要素（２８、４０）および／または制御要素（２９、３７）が前記振り子腕（３５）に取り付けられるか、または、前記振り子腕（３５）自体が、その長さによって調整されるように配置されることを特徴とする請求項２０から２２のいずれか1項に記載のデジタルマンモグラフィ撮影装置。
【請求項２４】
前記センサの前記直線運動と実質的に平行に、前記ビームを制限するコリメータ要素（１９）を移動させる手段（２０、２１、２２、２３）を含むことを特徴とする請求項１６から２３のいずれか１項に記載のデジタルマンモグラフィ撮影装置。
【請求項２５】
前記ビームを制限する前記コリメータ要素（１９）を、前記湾曲経路に沿って移動させる手段を含み、前記湾曲経路の曲率半径は、前記コリメータ要素と前記放射源（１３）の焦点（４２）間の距離に対応することを特徴とする請求項１６から２３のいずれか１項に記載のデジタルマンモグラフィ撮影装置。
【請求項２６】
前記コリメータ要素（１９）および前記１つのセンサ(５０)または複数のセンサ(５０)を、それぞれ、移動させる手段を含み、少なくとも他方は、前記振り子腕（３５）と機械的に接触する状態で配置されることを特徴とする請求項１８から２２のいずれか１項に記載のデジタルマンモグラフィ撮影装置。
【請求項２７】
前記コリメータ要素（１９）、前記１つのセンサ(５０)または複数のセンサ(５０)、および前記放射源（１３）は、前記振り子腕（３５）がアクチュエータによって移動する間に、前記ビームの前記走査運動と前記１つのセンサ(５０)または複数のセンサ(５０)の移動との前記同期が強制的に起こるように、前記振り子腕（３５）と機械的に接触する状態で配置されることを特徴とする請求項２６に記載のデジタルマンモグラフィ撮影装置。
【請求項２８】
プログラム的に動作することができ、前記１つのセンサ(５０)または複数のセンサ(５０)、および前記コリメータ要素（１９）の移動を全て実現するための、アクチュエータ（２０、２４）を含むことを特徴とする請求項１７に記載のデジタルマンモグラフィ撮影装置。
【請求項２９】
前記１つのセンサ(５０)または複数のセンサ(５０)は、２つ以上のモジュール（５１０、５１０'、…）を含む少なくとも１つのセンサ列の、前記走査運動によって形成される平面に対して直角方向に形成されるように配置され、それぞれのモジュール（５１０、５１０'、…）の有効面もまた、前記ビームの焦点（４２）に対して直角の方向に位置決めされることを特徴とする請求項１６から２８のいずれか１項に記載のデジタルマンモグラフィ撮影装置。
【請求項３０】
撮影される対象を位置決めする前記手段は、２つの放射線透過性圧迫板（１６、１７）か、または、実質的に平面状の面を有する等価物を含むことを特徴とする請求項１６から２９のいずれか１項に記載のデジタルマンモグラフィ撮影装置。